(57)【特許請求の範囲】
【請求項１】
一方でＰＤＳ区間を介して加入者線端局装置（ＳＬＴ）にポイント−マルチポイント接続され、他方でＡＢＲ方式に従って動作するＡＢＲ端末を接続する網終端装置において、
前記加入者線端局装置からの下りＰＤＳ区間を終端するＰＤＳ／ＡＴＭ終端手段から前記ＰＤＳ区間の送出可能帯域を示す情報を読み出す使用可能帯域読出手段と、
前記ＰＤＳ区間の送出可能帯域を示す情報から、前記ＡＢＲ端末に通知する使用可能帯域の値を算出する書換情報算出手段と、
前記ＰＤＳ／ＡＴＭ終端手段から出力されるセルに、前記書換情報算出手段で算出された使用可能帯域の値を書き込んで前記ＡＢＲ端末に送出するセル書換手段と
を備えたことを特徴とする網終端装置。
【請求項２】
一方でＰＤＳ区間を介して加入者線端局装置（ＳＬＴ）にポイント−マルチポイント接続され、他方でＡＢＲ方式に従って動作するＡＢＲ端末を接続する網終端装置において、
前記加入者線端局装置からの下りＰＤＳ区間を終端するＰＤＳ／ＡＴＭ終端手段から前記ＰＤＳ区間の送出可能帯域を示す情報を読み出す使用可能帯域読出手段と、
前記ＰＤＳ区間の送出可能帯域を示す情報から、前記ＡＢＲ端末に通知する使用可能帯域の値を算出する書換情報算出手段と、
前記ＡＢＲ端末から入力されるデータセルおよびＲＭセルを分離し、データセルを前記ＰＤＳ／ＡＴＭ終端手段に送出するセル分離手段と、
前記ＰＤＳ／ＡＴＭ終端手段から出力されるセルと前記セル分離手段で分離されたＲＭセルとを合流するセル合流手段と、
前記セル合流手段から出力されるセルに、前記書換情報算出手段で算出された使用可能帯域の値を書き込んで前記ＡＢＲ端末に送出するセル書換手段と
を備えたことを特徴とする網終端装置。
【請求項３】
一方でＰＤＳ区間を介して加入者線端局装置（ＳＬＴ）にポイント−マルチポイント接続され、他方でＡＢＲ方式に従って動作するＡＢＲ端末を接続する網終端装置において、
前記加入者線端局装置からの下りＰＤＳ区間を終端するＰＤＳ／ＡＴＭ終端手段から前記ＰＤＳ区間の送出可能帯域を示す情報を読み出す使用可能帯域読出手段と、
前記ＰＤＳ区間の送出可能帯域を示す情報から、前記ＡＢＲ端末に通知する使用可能帯域の値を算出する書換情報算出手段と、
前記ＰＤＳ／ＡＴＭ終端手段から出力されるセルに、前記書換情報算出手段で算出された使用可能帯域の値を書き込むセル書換手段と、
前記ＡＢＲ端末から入力されるデータセルおよびＲＭセルを分離し、データセルを前記ＰＤＳ／ＡＴＭ終端手段に送出するセル分離手段と、
前記セル分離手段で分離されたＲＭセルに、前記書換情報算出手段で算出された使用可能帯域の値を書き込むＲＭセル書換手段と、
前記セル書換手段および前記ＲＭセル書換手段で書き換えられたセルを合流して前記ＡＢＲ端末に送出するセル合流手段と
を備えたことを特徴とする網終端装置。
【請求項４】
一方でＰＤＳ区間を介して加入者線端局装置（ＳＬＴ）にポイント−マルチポイント接続され、他方でＡＢＲ方式に従って動作するＡＢＲ端末を接続する網終端装置において、
前記加入者線端局装置からの下りＰＤＳ区間を終端するＰＤＳ／ＡＴＭ終端手段から前記ＰＤＳ区間の送出可能帯域を示す情報を読み出す使用可能帯域読出手段と、
前記ＰＤＳ区間の送出可能帯域を示す情報から、前記ＡＢＲ端末に通知する使用可能帯域の値を算出する書換情報算出手段と、
前記ＡＢＲ端末から入力されるデータセルおよびＲＭセルを分離し、データセルを前記ＰＤＳ／ＡＴＭ終端手段に送出するセル分離手段と、
前記セル分離手段で分離されたＲＭセルに、前記書換情報算出手段で算出された使用可能帯域の値を書き込むＲＭセル書換手段と、
前記ＰＤＳ／ＡＴＭ終端手段から出力されるセルと前記ＲＭセル書換手段で書き換えられたセルを合流して前記ＡＢＲ端末に送出するセル合流手段と
を備えたことを特徴とする網終端装置。
【請求項５】
一方でＰＤＳ区間を介して加入者線端局装置（ＳＬＴ）にポイント−マルチポイント接続され、他方でＡＢＲ方式に従って動作するＡＢＲ端末を接続する網終端装置において、
前記加入者線端局装置からの下りＰＤＳ区間を終端するＰＤＳ／ＡＴＭ終端手段から前記ＰＤＳ区間の送出可能帯域を示す情報を読み出す使用可能帯域読出手段と、
前記ＰＤＳ区間の送出可能帯域を示す情報から、前記ＡＢＲ端末に通知する使用可能帯域の値を算出する書換情報算出手段と、
前記ＰＤＳ／ＡＴＭ終端手段から出力されるセルに、前記書換情報算出手段で算出された使用可能帯域の値を書き込むセル書換手段と、
前記ＡＢＲ端末から入力されるデータセルおよびＲＭセルを分離し、データセルを前記ＰＤＳ／ＡＴＭ終端手段に送出するセル分離手段と、
前記セル書換手段で書き換えられたセルと前記セル分離手段で分離されたＲＭセルを合流して前記ＡＢＲ端末に送出するセル合流手段と
を備えたことを特徴とする網終端装置。
【請求項６】
請求項１ないし請求項５のいずれかに記載の網終端装置において、
使用可能帯域読出手段は、ＰＤＳ区間の送出可能帯域を示す情報の代わりに、ＡＢＲ端末の使用可能帯域を示す情報を読み出す構成である
ことを特徴とする網終端装置。
【請求項７】
請求項１，２，５のいずれかに記載の網終端装置において、
使用可能帯域読出手段は、ＰＤＳ区間の送出可能帯域を示す情報の代わりに、ＡＢＲ端末の使用可能帯域を示す情報を読み出す構成であり、
書換情報算出手段は、使用可能帯域読出手段からの情報をそのままセル書換手段に送出する構成である  ことを特徴とする網終端装置。
【請求項８】
請求項３に記載の網終端装置において、
使用可能帯域読出手段は、ＰＤＳ区間の送出可能帯域を示す情報の代わりに、ＡＢＲ端末の使用可能帯域を示す情報を読み出す構成であり、
書換情報算出手段は、使用可能帯域読出手段からの情報をそのままセル書換手段またはＲＭセル書換手段に送出する構成である
ことを特徴とする網終端装置。
【請求項９】
請求項４に記載の網終端装置において、
使用可能帯域読出手段は、ＰＤＳ区間の送出可能帯域を示す情報の代わりに、ＡＢＲ端末の使用可能帯域を示す情報を読み出す構成であり、
書換情報算出手段は、使用可能帯域読出手段からの情報をそのままＲＭセル書換手段に送出する構成である
ことを特徴とする網終端装置。
【請求項１０】
請求項１ないし請求項９のいずれかに記載の網終端装置において、
ＡＢＲ端末から加入者線端局装置に向かうセルの状態からＡＢＲ端末が実際に使用している帯域を観測し、使用情報として書換情報算出手段に与える使用帯域観察手段を備え、
書換情報算出手段は、使用可能帯域読出手段から与えられるＰＤＳ区間の使用可能帯域を示す情報と前記使用帯域観察手段から与えられる使用情報から、前記ＡＢＲ端末に通知する使用可能帯域の値を算出する構成である
ことを特徴とする網終端装置。
【請求項１１】
請求項１０に記載の網終端装置において、
使用帯域観察手段は、加入者線端局装置に送信するセルを蓄積するバッファのセル数を計測するキュー値観測手段、またはＡＢＲ端末から入力されるダミーセルを含まないＡＴＭセルの伝送速度とダミーセルを含むＡＴＭセルの伝送速度からＡＢＲ端末が実際に使用している帯域を観察するＡＴＭ帯域観測手段の一方または両方を組み合わせた構成である
ことを特徴とする網終端装置。
【請求項１２】
請求項１ないし請求項１０のいずれかに記載の網終端装置において、
書換情報算出手段は、
使用可能帯域読出手段および使用帯域観察手段からの情報を基にＰＤＳ区間の使用可能帯域を算出する使用可能帯域算出手段と、
前記使用可能帯域算出手段で算出した使用可能帯域を記憶する記憶手段と、
前記記憶手段に記憶された過去の使用可能帯域と新たに使用可能帯域算出手段で算出された使用可能帯域とを比較し、その大小関係に応じた書換情報を出力する比較手段と
を備えたことを特徴とする網終端装置。
【請求項１３】
請求項１，２，３，５，７，８のいずれかに記載の網終端装置において、
セル書換手段は、ＲＭセルまたはデータセルの少なくとも一方を書き換える構成である
ことを特徴とする網終端装置。
【請求項１４】
請求項１ないし請求項１０のいずれかに記載の網終端装置において、
使用可能帯域読出手段は、ＰＤＳ／ＡＴＭ終端手段に内蔵された自己ＰＩＤ検出手段で検出される単位時間当たりの自己ＰＩＤの個数を読み出すＰＩＤ個数検出手段を備えた
ことを特徴とする網終端装置。
【請求項１５】
請求項１４に記載の網終端装置において、
自己ＰＩＤの個数を読み出す単位時間は、同一の伝送システムに接続される各網終端装置ごとに上りセルを割り付ける時間に合わせて設定する構成である
ことを特徴とする網終端装置。
【請求項１６】
請求項１４に記載の網終端装置において、
自己ＰＩＤの個数を読み出す単位時間は、１ミリ秒または３ミリ秒または125 ミリ秒の整数倍または56セルの伝送に要する時間の整数倍に設定する構成である  ことを特徴とする網終端装置。
【請求項１７】
請求項１ないし請求項１０のいずれかに記載の網終端装置において、
使用可能帯域読出手段は、ＰＤＳ／ＡＴＭ終端手段に内蔵されたＰＤＳ−ＯＡＭセル終端手段で、ＰＤＳ−ＯＡＭセルに記載された網終端装置が送出可能なセル位置、または網終端装置が送出可能な単位時間当たりのセル数、または網終端装置の送出可能帯域、またはＡＢＲ端末の使用可能帯域、またはＡＢＲ端末が単位時間当たりに使用可能なセル数の内の少なくとも１つを読み取るＰＤＳ−ＯＡＭ記載情報読出手段を備えた
ことを特徴とする網終端装置。
【請求項１８】
請求項１，２，３，５，７，８のいずれかに記載の網終端装置において、
使用可能帯域読出手段は、ＰＤＳ／ＡＴＭ終端手段に内蔵されたＰＤＳ−ＯＡＭセル終端手段で、ＰＤＳ−ＯＡＭセルからＡＢＲ端末の使用可能帯域を読み取るＰＤＳ−ＯＡＭ記載情報読出手段を備え、
書換情報算出手段は、使用可能帯域読出手段から読み出された使用可能帯域をそのままセル書換手段に与えるか、記憶手段に記憶された過去の使用可能帯域と比較して所定の情報をセル書換手段に与える構成である
ことを特徴とする網終端装置。
【請求項１９】
請求項１ないし請求項１０のいずれかに記載の網終端装置において、
使用可能帯域読出手段は、ＰＤＳ／ＡＴＭ終端手段に内蔵された下り領域記載情報読出手段で、下り伝送帯域の一部に記載された網終端装置が使用可能なセル位置、または網終端装置が使用可能な単位時間当たりのセル数、または網終端装置の使用可能帯域、またはＡＢＲ端末の使用可能帯域、またはＡＢＲ端末が単位時間当たりに使用可能なセル数の内の少なくとも１つを読み取るＰＤＳ領域情報読出手段を備えた
ことを特徴とする網終端装置。
【請求項２０】
請求項１，２，３，５，７，８のいずれかに記載の網終端装置において、
使用可能帯域読出手段は、ＰＤＳ／ＡＴＭ終端手段に内蔵された下り領域記載情報読出手段で、下り伝送帯域の一部からＡＢＲ端末の使用可能帯域を読み取るＰＤＳ領域情報読出手段を備え、
書換情報算出手段は、使用可能帯域読出手段から読み出された使用可能帯域をそのままセル書換手段に与えるか、記憶手段に記憶された過去の使用可能帯域と比較して所定の情報をセル書換手段に与える構成である
ことを特徴とする網終端装置。
【請求項２１】
請求項１ないし請求項１０のいずれかに記載の網終端装置において、
使用可能帯域読出手段は、ＰＤＳ／ＡＴＭ終端手段に内蔵されたＰＤＳセルオーバヘッド終端手段で、ＰＤＳセルオーバヘッドに記載された網終端装置が送出可能なセル位置、または網終端装置が送出可能な単位時間当たりのセル数、または網終端装置の送出可能帯域、またはＡＢＲ端末の使用可能帯域、またはＡＢＲ端末が単位時間当たりに使用可能なセル数の内の少なくとも１つを読み取るＰＤＳセルオーバヘッド記載情報読出手段を備えた
ことを特徴とする網終端装置。
【請求項２２】
請求項１，２，３，５，７，８のいずれかに記載の網終端装置において、
使用可能帯域読出手段は、ＰＤＳ／ＡＴＭ終端手段に内蔵されたＰＤＳセルオーバヘッド終端手段で、ＰＤＳセルオーバヘッドからＡＢＲ端末の使用可能帯域を読み取るＰＤＳセルオーバヘッド記載情報読出手段を備え、
書換情報算出手段は、使用可能帯域読出手段から読み出された使用可能帯域をそのままセル書換手段に与えるか、記憶手段に記憶された過去の使用可能帯域と比較して所定の情報をセル書換手段に与える構成である
ことを特徴とする網終端装置。
【発明の詳細な説明】
【０００１】
【発明の属する技術分野】
本発明は、ポイント−マルチポイント型のＡＴＭ−ＰＤＳ（Asynchronous Transfer Mode - Passive Double Star) 伝送システムにおいて、局内の加入者線端局装置（ＳＬＴ）にＰＤＳ区間を介して収容される網終端装置（ＯＮＵ）に関する。
【０００２】
特に、網の混み具合に応じてＰＤＳ伝送帯域をリアルタイムに変更し、輻輳を未然に防ぐＡＢＲ（Available Bit Rate) 方式に従って動作するＡＢＲ端末を接続する網終端装置に関する。
【０００３】
【従来の技術】
ＡＴＭ伝送システムには、伝送帯域が変化するＡＢＲ方式と呼ばれる帯域制御方式がある（参考文献：ＡＴＭ Forum af-tm-0056.000 Traffic Manegement Specification Version 4.0）。
ＡＢＲ方式では、ＲＭ（資源管理：Resource Management)セルが送信側端末から受信側端末まで前方ＲＭセルとして伝送され、受信側端末から送信側端末まで後方ＲＭセルとして伝送される。このＲＭセルが送信側端末から受信側端末に渡され、受信側端末から戻ってくるまでの間に、送信側端末や中継する伝送装置等が伝送可能な帯域自体（ＡＣＲ）、輻輳表示（ＣＩ）、帯域非増加指示（ＮＩ）等を書き込むことにより、送信側端末に送信可能な伝送帯域が指示される。また、送信側端末に向かうデータセルのＡＴＭオーバヘッドのペイロードタイプを表すＰＴビットに網輻輳を示すビットを書き込むことにより、送信側端末に送信可能な伝送帯域が暗示的に指示される場合もある。
【０００４】
すなわち、非輻輳時には、ＲＭセルまたはデータセルに輻輳表示がなく、送信側端末はセル送出を設定された手順で段階的にピークセルレートまで加速する。一方、輻輳時には、ＲＭセルまたはデータセルに輻輳表示が行われ、送信側端末はセル送出を設定された手順で段階的に最小セルレートまで減速する。ＡＢＲ方式では、このようにして輻輳を未然に防ぎながら帯域の有効活用を可能にしている。
【０００５】
しかし、従来から提案されているＰＤＳ伝送システムには、ＡＢＲ方式に従って動作するＡＢＲ端末に対する配慮がない。たとえば、文献（信学技報CS89-12 「分散制御型ＡＴＭ光加入者伝送系の検討」）に示されるようなＰＤＳ区間の可変帯域化が検討されているが、このような帯域変化に対応してＰＤＳ伝送システム自体にＡＢＲ端末に新たに割り当てられた帯域を通知する機能がなく、帯域を有効利用することが困難であった。そこで、ＰＤＳ伝送システムのＰＤＳ伝送帯域変化をＡＢＲ端末に通知する方法として、例えばＡＢＲサービス対応のＡＴＭスイッチを縦続に接続する構成が考えられている。このＡＴＭスイッチは、自己の出力側の輻輳状況を入力側の装置にＲＭセルで通知する機能を有するものとする。
【０００６】
図１９は、ＡＢＲサービスに対応するＡＴＭ−ＰＤＳ伝送システムの構成例を示す。
図において、局側で加入者線を終端する加入者線端局装置（ＳＬＴ）５１は、光ファイバおよび分岐素子で構成されるＰＤＳ区間５２を介して複数の網終端装置（ＯＮＵ）５３を収容し、ＰＤＳ伝送システムを構成する。網終端装置５３とＡＢＲ端末５４との間には、ＡＢＲサービス対応のＡＴＭスイッチ５５と、ＰＤＳ伝送システムとＡＢＲサービスの制御遅延を吸収するバッファ５６が配置される。ＡＢＲ端末５４から網終端装置５３の方向へは前方ＲＭセルが伝送され、網終端装置５３からＡＢＲ端末５４の方向へは後方ＲＭセルが伝送される。
【０００７】
ここで、網終端装置５３に割り当てられたＰＤＳ伝送帯域が減少すると、ＡＴＭスイッチ５５から網終端装置５３への伝送が滞り、ＡＴＭスイッチ５５の出力側に輻輳状態が発生する。ＡＴＭスイッチ５５は、この輻輳状態の発生を後方ＲＭセルに表示してＡＢＲ端末５４に通知する。ＡＢＲ端末５４は、この輻輳状態が表示されたＲＭセルの到達により、ＰＤＳ伝送帯域の減少を間接的に認識する。
【０００８】
一方、網終端装置５３に割り当てられたＰＤＳ伝送帯域が増加し、ＡＴＭスイッチ５５の出力側の輻輳状態が解消されると、ＡＴＭスイッチ５５は輻輳状態の解消を後方ＲＭセルに表示してＡＢＲ端末５４に通知する。ＡＢＲ端末５４は、このＲＭセルの到達によりＰＤＳ伝送帯域の増加を間接的に認識する。
【０００９】
【発明が解決しようとする課題】
ところで、図１９に示す構成では、ＡＴＭスイッチ５５がＰＤＳ伝送帯域の変化に伴う輻輳状態を検出した後にＡＢＲ端末５４に通知している。すなわち、網終端装置５３はＡＢＲ端末５４にＰＤＳ伝送帯域の変化を直接通知する手段がなく、ＡＴＭスイッチ５５を介してＡＢＲ端末５４にその旨が通知されるので、伝送帯域の変化に迅速に対応することができなかった。さらに、ＡＴＭスイッチ５５の認識に要する時間遅れを吸収するためのバッファ５６が必要となり、装置構成の複雑化に伴うコスト上昇と、伝送遅延時間の増加に伴う伝送品質の劣化が避けられなかった。
【００１０】
本発明は、簡単な構成によりＡＢＲ端末へＰＤＳ伝送帯域の変化を通知でき、容易にＰＤＳ伝送システムの帯域可変化に対応することができる網終端装置を提供することを目的とする。
【００１１】
【課題を解決するための手段】
本発明の網終端装置は、加入者線端局装置からの下りＰＤＳ区間を終端するＰＤＳ／ＡＴＭ終端手段からＰＤＳ区間の送出可能帯域を示す情報を読み出す使用可能帯域読出手段と、ＰＤＳ区間の送出可能帯域を示す情報からＡＢＲ端末に通知する使用可能帯域の値を算出する書換情報算出手段と、ＰＤＳ／ＡＴＭ終端手段から出力されるセルに書換情報算出手段で算出された使用可能帯域の値を書き込んでＡＢＲ端末に送出するセル書換手段とを備える。これにより、ＰＤＳ伝送帯域の変化をＡＢＲ端末に通知することができる。
【００１２】
【発明の実施の形態】
（第１の実施形態−請求項１，１２，１３，１４，１５，１６）
図１は、本発明の網終端装置の第１の実施形態を示す。
図において、加入者線端局装置（ＳＬＴ）５１は、ＰＤＳ区間５２を介して網終端装置（ＯＮＵ）１０ａを収容する。網終端装置１０ａにはＡＢＲ端末５４が直接接続される。
【００１３】
ＰＤＳ区間５２を介して加入者線端局装置５１から到着する下りセルは、網終端装置１０ａのＰＤＳ／ＡＴＭ終端手段１１に入力される。ＰＤＳ／ＡＴＭ終端手段１１は、自己ＰＩＤ（ポーリング制御領域）検出手段１２により、下りセルのオーバヘッドのポーリング制御領域のＰＩＤビットを検出し、ＰＩＤが自分宛の場合に網終端装置１０ａは上りセルを送信する。
【００１４】
また、使用可能帯域読出手段１３のＰＩＤ個数読出手段１４は、自己ＰＩＤ検出手段１２による単位時間当たりの検出回数をカウントする。書換情報算出手段１５は、ＰＩＤ個数読出手段１４のカウント値をビットレート換算し、ＡＢＲ端末５４に通知する使用可能帯域としてセル書換手段１６に送出する。なお、自己ＰＩＤの個数を読み出す単位時間は、同一の伝送システムに接続される各網終端装置ごとに上りセルを割り付ける時間に合わせて、例えば１ミリ秒、または３ミリ秒、または 125ミリ秒の整数倍、または56セルの伝送に要する時間の整数倍に設定することにより、ＡＢＲ端末５４に通知する値が安定する効果が期待できる。
【００１５】
セル書換手段１６は、ＡＢＲ端末５４宛のセルに書換情報算出手段１５から与えられた情報（使用可能帯域）を書き込み、ＡＢＲ端末５４に送出する。なお、セル書換手段１６は、データセルのみまたはＲＭセルのみに書き込みを行ってもよく、一部の書き込み指示値を省略してもよい。このようにして、ＡＢＲ方式の帯域通知の方法に従い、ＡＢＲ端末５４にＰＤＳ区間の使用可能な伝送帯域を通知することができる。
【００１６】
ここで、書換情報算出手段１５の構成について図１７を参照して説明する。書換情報算出手段１５は、使用可能帯域読出手段１３のＰＩＤ個数読出手段１４のカウント値を入力して使用可能帯域を算出する使用可能帯域算出手段２１と、使用可能帯域算出手段２１で算出した使用可能帯域を記憶する記憶手段２２と、記憶手段２２に記憶された過去の使用可能帯域と新たに使用可能帯域算出手段２１で算出された使用可能帯域とを比較する比較手段２３とにより構成される。
【００１７】
比較手段２３の動作について図１８を参照して説明する。
ＡＢＲ端末５４から網終端装置１０ａに前方ＲＭセルが到着すると、使用可能帯域算出手段２１は使用可能帯域読出手段１３からの情報を基に、後方ＲＭセルに書き込む使用可能帯域を算出する。
比較手段２３は、算出された使用可能帯域が前回の使用可能帯域より大きい場合には、算出された使用可能帯域をセル書換手段１６に送出し、後方ＲＭセルに書き込む。このとき、輻輳通知と非増加通知は書き込まない。
【００１８】
また、算出された使用可能帯域が前回の使用可能帯域と等しい場合には、算出された使用可能帯域をセル書換手段１６に送出し、後方ＲＭセルに書き込む。このとき、すでに非増加通知がされていなければ非増加通知も書き込む。ただし、輻輳通知は書き込まない。
また、算出された使用可能帯域が前回の使用可能帯域より小さい場合には、算出された使用可能帯域をセル書換手段１６に送出し、後方ＲＭセルに書き込む。このとき、すでに輻輳通知がされていなければ輻輳通知も書き込み、非増加通知がされていなければ非増加通知も書き込む。さらに並行して、次の前方ＲＭセルが到着するまでの間に、ＡＢＲ端末５４に向かって網終端装置１０ａが送出する下りデータセルに輻輳通知を書き込む。
【００１９】
このようにして、新たに算出した使用可能帯域と過去の値とを比較することにより、ＡＢＲ端末５４に様々な通知法で使用可能帯域を逐次通知することができる。なお、書換情報算出手段１５は使用可能帯域算出手段２１のみで構成し、常に新たに算出した使用可能帯域をＡＢＲ端末５４に同様の通知法で通知するようにしてもよい。
【００２０】
（第２の実施形態−請求項２）
図２は、本発明の網終端装置の第２の実施形態を示す。
本実施形態の特徴は、図１に示す第１の実施形態の構成において、ＲＭセルをＡＢＲ端末５４と網終端装置１０ｂとの間で往復させ、ＡＢＲ端末５４から網終端装置１０ｂに到着したＲＭセルをＰＤＳ区間５２に送出せず、ＲＭセル分のＰＤＳ帯域をデータセルに振り分けるようにしたところにある。
【００２１】
すなわち、網終端装置１０ｂでは、ＡＢＲ端末５４から到着するセルをセル分離手段３１に入力してＲＭセルとデータセルに分離し、データセルはＰＤＳ／ＡＴＭ終端手段１１に送出し、ＲＭセルはセル合流手段３２に送出する。セル合流手段３２は、セル分離手段３１で分離されたＲＭセルと、ＰＤＳ／ＡＴＭ終端手段１１から出力されるセル（データセルおよびＲＭセル）とを合流してセル書換手段１６に送出する。その他の構成および動作は第１の実施形態と同様である。
【００２２】
（第３の実施形態−請求項３）
図３は、本発明の網終端装置の第３の実施形態を示す。
本実施形態の特徴は、図２に示す第２の実施形態の構成において、セル書換手段１６をＲＭセル書換手段３３およびセル書換手段３４に分離し、それぞれの出力をセル合流手段３２で合流させるところにある。
【００２３】
すなわち、網終端装置１０ｃでは、セル分離手段３１で分離されたＲＭセルをＲＭセル書換手段３３に入力し、書換情報算出手段１５から与えられる情報で書き換えてセル合流手段３２に送出する。また、ＰＤＳ／ＡＴＭ終端手段１１から出力されるセル（データセルおよびＲＭセル）をセル書換手段３４に入力し、書換情報算出手段１５から与えられる情報で書き換えてセル合流手段３２に送出する。セル合流手段３２は、ＲＭセル書換手段３３およびセル書換手段３４で書き換えられたセルを合流してＡＢＲ端末５４に送出する。その他の構成および動作は第２の実施形態と同様である。
【００２４】
（第４の実施形態−請求項４）
図４は、本発明の網終端装置の第４の実施形態を示す。
本実施形態の特徴は、図３に示す第３の実施形態の構成からセル書換手段３４を取り除いたところにある。
すなわち、網終端装置１０ｄでは、セル分離手段３１で分離されたＲＭセルをＲＭセル書換手段３３に入力し、書換情報算出手段１５から与えられる情報で書き換えてセル合流手段３２に送出する。セル合流手段３２は、ＲＭセル書換手段３３で書き換えられたＲＭセルと、ＰＤＳ／ＡＴＭ終端手段１１から出力されるセル（データセルおよびＲＭセル）とを合流してＡＢＲ端末５４に送出する。その他の構成および動作は第３の実施形態と同様である。
【００２５】
（第５の実施形態−請求項５）
図５は、本発明の網終端装置の第５の実施形態を示す。
本実施形態の特徴は、図３に示す第３の実施形態の構成からＲＭセル書換手段３３を取り除いたところにある。
すなわち、網終端装置１０ｅでは、セル分離手段３１で分離されたＲＭセルをセル合流手段３２に送出する。また、ＰＤＳ／ＡＴＭ終端手段１１から出力されるセル（データセルおよびＲＭセル）をセル書換手段３４に入力し、書換情報算出手段１５から与えられる情報で書き換えてセル合流手段３２に送出する。セル合流手段３２は、セル分離手段３１で分離されたＲＭセルと、セル書換手段３４で書き換えられたセルを合流してＡＢＲ端末５４に送出する。その他の構成および動作は第３の実施形態と同様である。
【００２６】
なお、以上示した各実施形態において、使用可能帯域読出手段１３は、ＰＤＳ区間５２の送出可能帯域を示す情報の代わりに、ＡＢＲ端末５４の使用可能帯域を示す情報を読み出す構成であってもよい（請求項６）。また、その場合に、書換情報算出手段１５は、使用可能帯域読出手段１３からの情報をそのままセル書換手段１６，３４またはＲＭセル書換手段３３に送出する構成でもよい（請求項７）。
【００２７】
（第６の実施形態−請求項１０，１１）
図６は、本発明の網終端装置の第６の実施形態を示す。
本実施形態の特徴は、図１に示す第１の実施形態の構成において、ＡＢＲ端末５４から加入者線端局装置５１に向かうセルの状態から、ＡＢＲ端末５４が実際に使用している帯域を観測し、使用情報として書換情報算出手段１５に与える使用帯域観察手段３５を備えるところにある。書換情報算出手段１５では、使用可能帯域読出手段１３から与えられるＰＤＳ区間の使用可能帯域を示す情報と、使用帯域観察手段３５から与えられる使用情報から、ＡＢＲ端末５４に通知する使用可能帯域の値を算出する。
【００２８】
使用帯域観察手段３５は、加入者線端局装置５１に送信するセルを蓄積するバッファのセル数を計測するキュー値観測手段により実現できる。この場合には、第１の実施形態のものより、セルロスの発生を小さくすることができる。また、使用帯域観察手段３５は、ＡＢＲ端末５４から入力されるダミーセルを含まないＡＴＭセルの伝送速度と、ダミーセルを含むＡＴＭセルの伝送速度からＡＢＲ端末５４が実際に使用している帯域を観察するＡＴＭ帯域観測手段により実現できる。この場合には、複数の網終端装置からの上りセルを単一のＰＤＳ媒体で伝送するＰＤＳ区間の帯域を有効に使用することができる。なお、キュー値観測手段とＡＴＭ帯域観測手段を組み合わせて使用帯域観察手段３５を構成してもよい。
【００２９】
（第７の実施形態−請求項１０）
図７は、本発明の網終端装置の第７の実施形態を示す。
本実施形態の特徴は、図２に示す第２の実施形態の構成に、第６の実施形態において説明した使用帯域観察手段３５を付加したところにある。
（第８の実施形態−請求項１０）
図８は、本発明の網終端装置の第８の実施形態を示す。
【００３０】
本実施形態の特徴は、図３に示す第３の実施形態の構成に、第６の実施形態において説明した使用帯域観察手段３５を付加したところにある。
（第９の実施形態−請求項１０）
図９は、本発明の網終端装置の第９の実施形態を示す。
本実施形態の特徴は、図４に示す第４の実施形態の構成に、第６の実施形態において説明した使用帯域観察手段３５を付加したところにある。
【００３１】
（第１０の実施形態−請求項１０）
図１０は、本発明の網終端装置の第１０の実施形態を示す。
本実施形態の特徴は、図５に示す第５の実施形態の構成に、第６の実施形態において説明した使用帯域観察手段３５を付加したところにある。
（第１１の実施形態−請求項１，１７）
図１１は、本発明の網終端装置の第１１の実施形態を示す。
【００３２】
第１の実施形態の構成では、使用可能帯域読出手段１３として、自己ＰＩＤ検出手段１２に接続されたＰＩＤ個数読出手段１４を用いた例を示した。本実施形態の特徴は、自己ＰＩＤ検出手段１２に接続されたＰＩＤ個数読出手段１４の代わりに、ＰＤＳ−ＯＡＭ（保守運用）セル終端手段４１に接続されたＰＤＳ−ＯＡＭ記載情報読出手段４２を用いるところにある。
【００３３】
加入者線端局装置５１は、網終端装置１０ｋの使用可能帯域を下りＰＤＳ−ＯＡＭセルの未使用領域に書き込むものとする。網終端装置１０ｋのＰＤＳ−ＯＡＭ記載情報読出手段４２は、この下りＰＤＳ−ＯＡＭセルに書き込まれた使用可能帯域を読み出し、書換情報算出手段１５はこの網終端装置１０ｋの使用可能帯域をＡＢＲ端末５４に通知する使用可能帯域としてセル書換手段１６に与える。
【００３４】
ただし、網終端装置１０ｋが使用可能なセル位置、または網終端装置１０ｋが使用可能な単位時間当たりのセル数、ＡＢＲ端末５４が単位時間当たりに使用可能なセル数のように、ＡＢＲ端末５４にそのまま使用可能帯域として通知できない形で示されている場合には、ＡＢＲ方式に従った通知形態の数値に換算する。このように、本実施形態では、第１の実施形態に比べて自己ＰＩＤ個数の計数が不要な分だけ網終端装置の構成を簡単にすることができる。
【００３５】
（第１２の実施形態−請求項１７，１８）
図１２は、本発明の網終端装置の第１２の実施形態を示す。
本実施形態の特徴は、図１１に示す第１１の実施形態の構成において、ＰＤＳ−ＯＡＭセルにＡＢＲ端末５４の使用可能帯域を書き込むことにより、ＰＤＳ−ＯＡＭ記載情報読出手段４２で読み出した情報（使用可能帯域）をそのままセル書換手段１６に送出するところにある。すなわち、書換情報算出手段１５を不要にすることができるので、第１の実施形態および第１１の実施形態に比べて網終端装置１０ｍの構成を簡単にすることができる。
【００３６】
（第１３の実施形態−請求項１，１９）
図１３は、本発明の網終端装置の第１３の実施形態を示す。
本実施形態の特徴は、第１の実施形態における自己ＰＩＤ検出手段１２に接続されたＰＩＤ個数読出手段１４の代わりに、下り領域記載情報読出手段４３に接続されたＰＤＳ領域情報読出手段４４を用いるところにある。ここで、使用可能帯域または送出可能帯域を書き込む下り領域の形は、セルの形でなくてもよいし、ビット単位やバイト単位の伝送領域であってもよい。
【００３７】
加入者線端局装置５１は、下り伝送帯域の一部に網終端装置１０ｎの使用可能帯域を書き込むものとする。網終端装置１０ｎのＰＤＳ領域情報読出手段４４は、この下り伝送帯域の一部に書き込まれた使用可能帯域を読み出し、書換情報算出手段１５はこの網終端装置１０ｎの使用可能帯域をＡＢＲ端末５４に通知する使用可能帯域としてセル書換手段１６に与える。
【００３８】
ただし、網終端装置１０ｎが使用可能なセル位置、または網終端装置１０ｋが使用可能な単位時間当たりのセル数、ＡＢＲ端末５４が単位時間当たりに使用可能なセル数のように、ＡＢＲ端末５４にそのまま使用可能帯域として通知できない形で示されている場合には、ＡＢＲ方式に従った通知形態の数値に換算する。このように、本実施形態では、第１の実施形態に比べて自己ＰＩＤ個数の計数が不要な分だけ網終端装置の構成を簡単にすることができる。
【００３９】
（第１４の実施形態−請求項１９，２０）
図１４は、本発明の網終端装置の第１４の実施形態を示す。
本実施形態の特徴は、図１３に示す第１３の実施形態の構成において、下り伝送帯域の一部にＡＢＲ端末５４の使用可能帯域を書き込むことにより、ＰＤＳ領域情報読出手段４４で読み出した情報（使用可能帯域）をそのままセル書換手段１６に送出するところにある。すなわち、書換情報算出手段１５を不要にすることができるので、第１の実施形態および第１３の実施形態に比べて網終端装置１０ｐの構成を簡単にすることができる。
【００４０】
（第１５の実施形態−請求項１，２１）
図１５は、本発明の網終端装置の第１５の実施形態を示す。
第１の実施形態の構成では、使用可能帯域読出手段１３として、自己ＰＩＤ検出手段１２に接続されたＰＩＤ個数読出手段１４を用いた例を示した。本実施形態の特徴は、自己ＰＩＤ検出手段１２に接続されたＰＩＤ個数読出手段１４の代わりに、ＰＤＳセルオーバヘッド終端手段４５に接続されたＰＤＳセルオーバヘッド記載情報読出手段４６を用いるところにある。
【００４１】
加入者線端局装置５１は、網終端装置１０ｑの使用可能帯域を下りＰＤＳセルオーバヘッドの未使用領域に書き込むものとする。網終端装置１０ｑのＰＤＳセルオーバヘッド記載情報読出手段４６は、この下りＰＤＳセルオーバヘッドに書き込まれた使用可能帯域を読み出し、書換情報算出手段１５はこの網終端装置１０ｑの使用可能帯域をＡＢＲ端末５４に通知する使用可能帯域としてセル書換手段１６に与える。
【００４２】
ただし、網終端装置１０ｑが使用可能なセル位置、または網終端装置１０ｋが使用可能な単位時間当たりのセル数、ＡＢＲ端末５４が単位時間当たりに使用可能なセル数のように、ＡＢＲ端末５４にそのまま使用可能帯域として通知できない形で示されている場合には、ＡＢＲ方式に従った通知形態の数値に換算する。
このように、本実施形態では、第１の実施形態に比べて自己ＰＩＤ個数の計数が不要な分だけ網終端装置の構成を簡単にすることができる。
【００４３】
（第１６の実施形態−請求項２１，２２）
図１６は、本発明の網終端装置の第１６の実施形態を示す。
本実施形態の特徴は、図１５に示す第１５の実施形態の構成において、ＰＤＳセルオーバヘッドにＡＢＲ端末５４の使用可能帯域を書き込むことにより、ＰＤＳセルオーバヘッド記載情報読出手段４６で読み出した情報（使用可能帯域）をそのままセル書換手段１６に送出するところにある。すなわち、書換情報算出手段１５を不要にすることができるので、第１の実施形態および第１５の実施形態に比べて網終端装置１０ｒの構成を簡単にすることができる。
【００４４】
【発明の効果】
以上説明したように、本発明の網終端装置は、下りセルの自己ＰＩＤ個数、ＰＤＳ−ＯＡＭセル、ＰＤＳセルオーバヘッド、または下り伝送帯域の一部に記載された情報から、ＰＤＳ区間の使用可能帯域を示す情報を読み出し、さらにその情報からＡＢＲ端末に通知する使用可能帯域の値を算出し、ＡＢＲ端末に送出するセルにその使用可能帯域の値を書き込むことにより、ＰＤＳ伝送帯域の変化をＡＢＲ端末に通知することができる。なお、ＰＤＳ−ＯＡＭセル、ＰＤＳセルオーバヘッド、または下り伝送帯域の一部に記載された情報がＡＢＲ端末に通知する使用可能帯域の値を示している場合には、そのままその値をＡＢＲ端末に送出するセルに書き込む。
【図面の簡単な説明】
【図１】本発明の網終端装置の第１の実施形態を示すブロック図。
【図２】本発明の網終端装置の第２の実施形態を示すブロック図。
【図３】本発明の網終端装置の第３の実施形態を示すブロック図。
【図４】本発明の網終端装置の第４の実施形態を示すブロック図。
【図５】本発明の網終端装置の第５の実施形態を示すブロック図。
【図６】本発明の網終端装置の第６の実施形態を示すブロック図。
【図７】本発明の網終端装置の第７の実施形態を示すブロック図。
【図８】本発明の網終端装置の第８の実施形態を示すブロック図。
【図９】本発明の網終端装置の第９の実施形態を示すブロック図。
【図１０】本発明の網終端装置の第１０の実施形態を示すブロック図。
【図１１】本発明の網終端装置の第１１の実施形態を示すブロック図。
【図１２】本発明の網終端装置の第１２の実施形態を示すブロック図。
【図１３】本発明の網終端装置の第１３の実施形態を示すブロック図。
【図１４】本発明の網終端装置の第１４の実施形態を示すブロック図。
【図１５】本発明の網終端装置の第１５の実施形態を示すブロック図。
【図１６】本発明の網終端装置の第１６の実施形態を示すブロック図。
【図１７】書換情報算出手段１５の構成例を示すブロック図。
【図１８】比較手段２３の動作例を示すフローチャート。
【図１９】ＡＢＲサービスに対応するＡＴＭ−ＰＤＳ伝送システムの構成例を示すブロック図。
【符号の説明】
１０，５３  網終端装置（ＯＮＵ）
１１  ＰＤＳ／ＡＴＭ終端手段
１２  自己ＰＩＤ検出手段
１３  使用可能帯域読出手段
１４  ＰＩＤ個数読出手段
１５  書換情報算出手段
１６  セル書換手段
２１  使用可能帯域算出手段
２２  記憶手段
２３  比較手段
３１  セル分離手段
３２  セル合流手段
３３  ＲＭセル書換手段
３４  セル書換手段
３５  使用帯域観察手段
４１  ＰＤＳ−ＯＡＭセル終端手段
４２  ＰＤＳ−ＯＡＭ記載情報読出手段
４３  下り領域記載情報読出手段
４４  ＰＤＳ領域情報読出手段
４５  ＰＤＳセルオーバヘッド終端手段
４６  ＰＤＳセルオーバヘッド記載情報読出手段
５１  加入者線端局装置（ＳＬＴ）
５２  ＰＤＳ区間
５４  ＡＢＲ端末
５５  ＡＴＭスイッチ
５６  バッファ
【図１】
0003712822.tif 000002
【図２】
0003712822.tif 000003
【図３】
0003712822.tif 000004
【図４】
0003712822.tif 000005
【図５】
0003712822.tif 000006
【図６】
0003712822.tif 000007
【図７】
0003712822.tif 000008
【図８】
0003712822.tif 000009
【図９】
0003712822.tif 000010
【図１０】
0003712822.tif 000011
【図１１】
0003712822.tif 000012
【図１２】
0003712822.tif 000013
【図１３】
0003712822.tif 000014
【図１４】
0003712822.tif 000015
【図１５】
0003712822.tif 000016
【図１６】
0003712822.tif 000017
【図１７】
0003712822.tif 000018
【図１８】
0003712822.tif 000019
【図１９】
0003712822.tif 000020